(57)【要約】【課題】販売されて補充すべき印鑑を容易に見つけることができ、補充作業も容易に行うことができる印鑑展示ケースを提供する。【解決手段】筐体１１の側面に、複数種類の印鑑２を挿入する複数の印鑑挿入穴１５１が設けられた印鑑展示ケース１であって、印鑑挿入穴１５１の入口に開閉自在に設けられ、当該印鑑挿入穴に挿入される印鑑の種類を表示した表示板１５２を有し、表示板１５２は、印鑑２が抜き取られたときに印鑑挿入穴１５１の入口を塞ぐように回動するとともに、印鑑が挿入されたときは印鑑挿入穴内に待避するように回動する。【選択図】  図２
2005059350.tif 000002
【特許請求の範囲】
【請求項１】
筐体の側面に、複数種類の印鑑を挿入する複数の印鑑挿入穴が設けられた印鑑展示ケースであって、
前記印鑑挿入穴の入口に開閉自在に設けられ、当該印鑑挿入穴に挿入される印鑑の種類を表示した表示板を有し、
前記表示板は、前記印鑑が抜き取られたときに印鑑挿入穴の入口を塞ぐように回動するとともに、前記印鑑が挿入されたときは印鑑挿入穴内に待避するように回動することを特徴とする印鑑展示ケース。
【請求項２】
前記表示板には、その印鑑挿入穴に挿入される印鑑の印影が表示されていることを特徴とする請求項１記載の印鑑展示ケース。
【請求項３】
前記表示板には、その印鑑挿入穴に挿入される印鑑の製品番号が表示されていることを特徴とする請求項２記載の印鑑展示ケース。
【請求項４】
前記印鑑は、背面に印影が記載されていることを特徴とする請求項１〜３の何れかに記載の印鑑展示ケース。
【請求項５】
前記表示板の一端辺に回動軸が形成され、当該回動軸が前記印鑑挿入穴の入口の上側に取り付けられていることを特徴とする請求項１〜４の何れかに記載の印鑑展示ケース。
【請求項６】
前記表示板の一端辺に折り曲げ部が形成され、この折り曲げ部の折り曲げ片が前記印鑑挿入穴の入口の上側に貼り付けられていることを特徴とする請求項１〜４の何れかに記載の印鑑展示ケース。
【発明の詳細な説明】
【技術分野】
【０００１】
本発明は、複数種類の印鑑を展示する印鑑展示ケースに関する。
【背景技術】
【０００２】
名字を印影とする認印などは展示ケースに入れた状態で販売されている。従来の印鑑展示ケースは、筐体の側面に複数の印鑑挿入穴が形成され、ここに特定の名字が刻印された印鑑が差し込まれ、購入者はこの印鑑挿入穴の上又は下に記載された印影を見ながら、目的とする印鑑を探して抜き出し、レジにて清算していた。
【０００３】
ところで、印鑑展示ケースからある印鑑が抜き取られて販売されると、これと同じ印鑑を補充する必要があるが、従来の印鑑展示ケースでは抜き取られた印鑑の印影は、印鑑挿入穴の上又は下に小さく記載された印影を見ながら確認するほかなかったため、販売された印鑑を見つけるのが困難で、さらに補充すべき印鑑を注文する際に、印影と製品番号とを新たに照合する必要があって非常に煩わしかった。
【発明の開示】
【０００４】
本発明は、販売されて補充すべき印鑑を容易に見つけることができ、補充作業も容易に行うことができる印鑑展示ケースを提供することを目的とする。
上記目的を達成するために、本発明によれば、筐体の側面に、複数種類の印鑑を挿入する複数の印鑑挿入穴が設けられた印鑑展示ケースであって、前記印鑑挿入穴の入口に開閉自在に設けられ、当該印鑑挿入穴に挿入される印鑑の種類を表示した表示板を有し、前記表示板は、前記印鑑が抜き取られたときに印鑑挿入穴の入口を塞ぐように回動するとともに、前記印鑑が挿入されたときは印鑑挿入穴内に待避するように回動することを特徴とする印鑑展示ケースが提供される。
【０００５】
本発明において、前記表示板には、その印鑑挿入穴に挿入される印鑑の印影が表示されていることがより好ましい。
【０００６】
また本発明において、前記表示板には、その印鑑挿入穴に挿入される印鑑の製品番号が表示されていることがより好ましい。
【０００７】
さらに本発明において、前記印鑑は、背面に印影が記載されていることがより好ましい。
【０００８】
本発明において、前記表示板の一端辺に回動軸が形成され、当該回動軸が前記印鑑挿入穴の入口の上側に取り付けられていることがより好ましい。またはこれに代えて、前記表示板の一端辺に折り曲げ部が形成され、この折り曲げ部の折り曲げ片が前記印鑑挿入穴の入口の上側に貼り付けられていることがより好ましい。
【０００９】
本発明では、印鑑挿入穴の入口に当該印鑑挿入穴に挿入される印鑑の種類を表示した表示板が開閉自在に設けられているので、印鑑を抜き取ると表示板が回動して、抜き取られた印鑑の種類（印影など）が一目で分かる。したがって、補充すべき印鑑を容易に見つけることができる。
【００１０】
また、表示板には製品番号が表示されているので、補充する際に印影と製品番号とを一々照合する必要がなく、補充作業も容易に行うことができる。
【発明の実施の形態】
【００１１】
以下、本発明の実施形態を図面に基づいて説明する。  
図１は本発明の実施形態に係る印鑑展示ケース１を示す全体斜視図であり、本実施形態に係る印鑑展示ケース１は、同図に示すように２段に積み重ねられた筐体１１と、これらの筐体１１を回転可能に積載した基台１２とを有し、さらに基台１２の底面にはキャスタ１３が取り付けられている。
【００１２】
それぞれの筐体１１の４つの側面には透明ドア１４が開閉自在に設けられ、その内部に印鑑挿入盤１５が取り付けられている。購入者は、筐体１１を回転させることで目的とする印影の印鑑を探し、これを見つけたら透明ドア１４を開いてその印鑑を抜き取り、レジにて清算する。
【００１３】
図２は本発明の実施形態に係る印鑑挿入盤１５の要部を示す斜視図、図３は図２のIII-III線に沿う断面図である。なお、本例では印鑑として図２に示すような角印２であって背面に印影が表示されているものを例に挙げて本発明の実施形態を説明する。ただし、本発明に係る印鑑は同図に示すタイプのものに限定されず、丸印など他の種類の印鑑も当然適用することができる。
【００１４】
本実施形態に係る印鑑挿入盤１５は、その一主面に印鑑２を挿入するための印鑑挿入穴１５１が形成されたものであり、同図に示す碁盤目のように多数の印鑑挿入穴１５１が規則的に設けられている。この印鑑挿入穴１５１に印鑑２を、その背面の表示が見えるように挿入することで、購入者は目的とする印鑑を探すことができる。
【００１５】
特に本実施形態に係る印鑑挿入穴１５１には、その印鑑挿入穴１５１に挿入される印鑑２の印影と製品番号を表示した表示板１５２が、図３に示すように回動自在に設けられている。図２において、「保」、「歩」、「補」、「松」、「末」、「抹」が印鑑２の印影であり、「００１３５」、「００１３６」、「００１３７」が印鑑２の製品番号である。この表示板１５２は、図２に示すようにその一端片に固定された回動軸１５３の両端を、印鑑挿入穴１５１の両側面に形成された孔１５４に挿入することで回動自在に支持される。
【００１６】
そして、図３に示すように印鑑挿入穴１５１に印鑑２を挿入するときは、表示板１５２は印鑑２に押しのけられて印鑑挿入穴１５１の内部へ待避するように回動する。これに対して、印鑑挿入穴１５１から印鑑２を抜き取ると、表示板１５２はその自重で入口を塞ぐように回動し、これにより表面に表示された印影が外から視認できることになる。
【００１７】
なお、図２及び図３に示す実施形態では、表示板１５２に回動軸１５３を設けてこれを印鑑挿入穴１５１の孔１５４に挿入する構成を採用したが、より簡単には、図４右図に示すように表示板１５２の一端辺を折り曲げて折り曲げ部１５５を形成し、その折り曲げ片１５６を同図左図に示すように印鑑挿入孔の入口の上面に貼り付けてもよい。
【００１８】
以上のように、本実施形態に係る印鑑展示ケース１によれば、印鑑挿入穴１５１の入口に当該印鑑挿入穴１５１に挿入される印鑑２の印影を表示した表示板１５２が開閉自在に設けられているので、印鑑２を抜き取ると表示板１５２が回動して、抜き取られた印鑑２の印影が一目で分かる。したがって、補充すべき印鑑を容易に見つけることができる。
【００１９】
また、表示板１５２には製品番号が表示されているので、補充する際に印影と製品番号とを一々照合する必要がなく、補充作業も容易に行うことができる。
【００２０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００２１】
【図１】本発明の実施形態に係る印鑑展示ケースを示す全体斜視図である。
【図２】本発明の実施形態に係る印鑑挿入盤の要部を示す斜視図である。
【図３】図２のIII-III線に沿う断面図である。
【図４】本発明の他の実施形態に係る表示板を示す断面図及び斜視図である。
【符号の説明】
【００２２】
１…印鑑展示ケース
１１…筐体
１２…基台
１３…キャスタ
１４…透明ドア
１５…印鑑挿入盤
１５１…印鑑挿入穴
１５２…表示板
１５３…回動軸
１５４…孔
１５５…折り曲げ部
１５６…折り曲げ片
２…印鑑
【図１】
2005059350.tif 000003
【図２】
2005059350.tif 000004
【図３】
2005059350.tif 000005
【図４】
2005059350.tif 000006